(57)【要約】【課題】  携帯に便利であり、しかも、使い易い印用スタンプ器を実現する。【解決手段】  円柱状に形成された回転体２の周面に、指印用の色料である特殊なインキを含浸した、吸液性を有する素材からなる円筒状のインキ含浸部１を固着する。回転体２が回転可能な状態で回転体２の下部を中空円柱状の軸部５の上端部において支持する。下部の内周面が軸部５上部の外周面に螺合する、掛止用のクリップ４が外周面に付設された細長円缶状のキャップ３により、インキ含浸部１を覆う。【選択図】        図１
2006123504.tif 000002
【特許請求の範囲】
【請求項１】
円柱状に形成された回転体（２）と、
前記回転体（２）の周面に固着された、色料を含浸した円筒状の色料含浸部（１）と、
前記色料含浸部（１）が固着された前記回転体（２）が回転可能な状態で前記回転体（２）の下部を支持する円柱状の軸部（５）と、
前記色料含浸部（１）を覆うとともに、螺合および嵌合の一方によりその下部が前記軸部（５）の上部と連結する、掛止用のクリップ（４）が外周面に付設された円缶状のキャップ（３）とを
具備した印用スタンプ器。
【請求項２】
前記色料含浸部（１）の一方の半部に指印用のインキを含浸し他方の半部に印肉を含浸したものである請求項１記載の印用スタンプ器。
【請求項３】
催涙ガスを噴射するノズル（７）が前記軸部（５）の下端に位置する、前記催涙ガスが充填されたガス・ボンベ（６）を前記軸部（５）の中空部に収容するとともに、前記催涙ガスを噴射させるための、安全カバー（９）によりカバーされたプッシュ・ボタン（８）を前記軸部（５）に取り付けた請求項１記載の印用スタンプ器。
【請求項４】
前記軸部（５）の下端に豆電球を装着するとともに、前記豆電球に電流を供給するための少なくとも１つの乾電池を前記軸部（５）の中空部に収容した請求項１記載の印用スタンプ器。
【請求項５】
前記軸部（５）の下端より先端が突き出し可能にボール・ペン軸を前記軸部（５）の中空部に収容した請求項１記載の印用スタンプ器。
【発明の詳細な説明】
【技術分野】
【０００１】  本発明は印用スタンプ器に関する。より詳しくは、手の指により証印をする指印などの際に用いるのに適した印用スタンプ器であって、携帯に便利であり、しかも、使い易い印用スタンプ器を提供せんとするものである。
【背景技術】
【０００２】  指により証印をする指印を例にとると、捜査機関などの公的機関においては、聴取対象者に対して、その手の指により書類に証印をさせる指印の方法が用いられている。その場合、指印をする者の手の指に色料を付着させる手段として、従来よりスタンプ台が用いられており、その構成を図３に示し説明する。ここで、図３は、この従来例の構成を示す部分断面図である。【０００３】  図３において、１１は、指印に用いられる色料である特殊なインキが含浸されたインキ含浸部であり、吸液性を有する素材を用いて円盤状に形成されている。このインキ含浸部１１は、扁平な円缶状のケース１２に内接するようにして収容されている。また、１３は、インキ含浸部１１が収容されたケース１２の開口部を覆うための、扁平な円缶状の蓋である。この蓋１３は、ケース１２上部に螺合してケース１２に固定されるものではなく、ケース１２上部に遊嵌されるものである。【０００４】  このように構成されたスタンプ台により指印をする場合は、まず、ケース１２の開口部を覆っている蓋１３をはずす。ついで、指印をする者が、その手の指の指端腹面を、インキ含浸部１１の上面部に押し当てて、指端腹面にインキを付着させる。その後、インキが付着した指端腹面を、書類の該当欄に押し当てて、ここに指紋を写すことになる。
【発明の開示】
【発明が解決しようとする課題】
【０００５】  しかしながら、図３に示した従来例によると、つぎのような解決すべき課題がある。すなわち、指印は、庁舎内だけではなく、例えば、事件の発生現場においても行われる。そのため、指印による証印を確保する職責を有する者は、常時指印用のスタンプ台を携帯する必要がある。【０００６】  しかし、図３に示した指印用のスタンプ台は、衣服のポケット内に収納して常時携帯するには欠点がある。とくに、蓋１３は、ケース１２上部に遊嵌されているに過ぎないことから、スタンプ台をそのまま衣服のポケット内に収納して携帯した場合は、蓋１３がケース１２からはずれることがある。蓋１３がはずれれば、ポケットを形成する生地がインキ含浸部１１に接触して、これにインキがしみ付いてしまうことになる。【０００７】  他方、衣服の生地にインキ含浸部１１のインキがしみ付くのを防ぐためには、例えば、スタンプ台を収容し得るサイズの容器内にスタンプ台を収容するか、あるいは、粘着テープを用いて蓋１３をケース１２に固定しなければならないという煩わしさを伴う。以上のような解決すべき課題が、図３に示したスタンプ台にはあった。
【課題を解決するための手段】
【０００８】  そこで、上記課題に照らし、本発明はなされたものである。そのために、本発明では、円柱状に形成された回転体の周面に、印用の色料を含浸した円筒状の色料含浸部を固着する。色料含浸部が固着された回転体が回転可能な状態で、この回転体の下部を円柱状の軸部により支持する。螺合または嵌合によりその下部が軸部上部と連結する、掛止用のクリップを外周面に有する円缶状のキャップにより、色料含浸部を覆う。以上のような手段を用いるようにした。
【発明の効果】
【０００９】  本発明によるならば、図３に示した従来例のように、衣服のポケット内に収納されたスタンプ台の蓋１３がケース１２からはずれて、インキ含浸部１１に衣服のポケットの生地が接触し、これにインキ含浸部１１のインキがしみ付くということがない。【００１０】  のみならず、衣服の生地にインキ含浸部１１のインキがしみ付くのを防ぐために、スタンプ台を容器内に収容したり、粘着テープを用いて蓋１３をケース１２に固定するという必要もない。【００１１】  そのうえ、衣服のポケット内に収納しても邪魔にならず、しかも、衣服の胸ポケットや内ポケットに、筆記用具と同様にして収納しておくことができるので、使用に際して取り出し易く使い易いという利点もある。したがって、本発明によりもたらされる効果は、実用上極めて大きい。
【発明を実施するための最良の形態】
【００１２】  本発明を実施するための最良の形態を、図１に示し説明する。ここで、図１は、本発明による印用スタンプ器の構成を示す部分断面図である。【００１３】  図１において、１は、指印用の色料として特殊なインキが含浸された、吸液性を有する素材を用いたインキ含浸部である。このインキ含浸部１は、所定の厚さの円筒状に形成され、円柱状の回転体２の周面に固着されている。ここにおける回転体２は、その下部が、中空円柱状の軸部５の上端部において回転可能に支持されて、フリーに回転するようになっている。【００１４】  また、３は、インキ含浸部１を覆う細長円缶状のキャップであり、その下部の内周面が、軸部５上部の外周面に螺合することにより、軸部５と連結するようになっている。このキャップ３の外周面には、衣服のポケットの上端部に掛止するためのクリップ４が付設されている。【００１５】  以上のように構成された印用スタンプ器を使用する場合は、まず、キャップ３を所定方向に回動して軸部５よりはずす。キャップ３がはずされたならば、指印をする者が、指の指端腹面の一方の端部にインキ含浸部１を押し当てたうえで、軸部５を移動させることにより、インキ含浸部１を指端腹面の他方の端部に向けて回転させながら移動させる。【００１６】  インキ含浸部１を移動させれば、インキ含浸部１は、回転しながら指端腹面にインキを付着させる。そこで、指印をする者が、インキが付着した指端腹面を書類の紙面上に押し当てれば、そこに指紋が写されることになる。【００１７】  以上においては、回転体２を回転可能に支持する軸部５として、中空円柱状のものを示して説明したが、本発明は、これに限定されるものではない。中空部を有しない円柱状の軸部であっても、本発明は適用され得るものである。【００１８】  また、キャップ３下部の内周面が、軸部５上部の外周面に螺合する場合について説明した。しかし、本発明は、これに限られるものではなく、キャップ３下部の内周面が、軸部５上部の外周面に嵌合する場合にも、本発明は適用することができるものである。【００１９】  なお、如上の説明では、証印としての指印をする場合について述べた。しかし、本発明は、これに限定されるものではない。手の五指の指紋を写し取る場合にも、本発明は適用し得るものである。さらに、印鑑を押捺する場合にも、本発明は適用することができるものである。その場合は、色料として印肉を含浸した円筒状の色料含浸部を回転体２の周面に固着すればよい。また、例えば、色料含浸部の上半部に指印用のインキを含浸させ、下半部に印肉を含浸させて、指印用にも印鑑用にも使用できるようにしてもよい。【００２０】  図２は、本発明の他の実施の形態を示す部分断面図であり、図１における構成要素に対応する構成要素については同じ符号を付して説明する。【００２１】  図２において、図１に示した実施の形態と異なるところを説明する。本実施の形態においては、軸部５の中空部に、催涙ガスを充填したガス・ボンベ６が収容され、催涙ガスを噴射する細径のノズル７が、軸部５下端より若干突き出している。また、ガス・ボンベ内に充填された催涙ガスを噴射させるためのプッシュ・ボタン８が、軸部５の下端近傍の部位に取り付けられている。���のプッシュ・ボタン８とガス・ボンベ６との間には、図示されてはいないコイルばねが配設されており、これにより、プッシュ・ボタン８は、ガス・ボンベ６より離れる方向に付勢されている。【００２２】  ここにおけるプッシュ・ボタン８は、軸部５の外周面に設けられた短円筒状の安全カバー９により、プッシュ・ボタン８の押圧面が安全カバー９の開口部より露出しないようにカバーされている。これは、本発明による印用スタンプ器を、例えば、着衣の胸ポケット内に収納している際に、プッシュ・ボタン８の押圧面が誤って押圧されて催涙ガスが噴射されないようにするためである。【００２３】  このように、印用スタンプ器に催涙ガスの噴射機能を付加するならば、印用の色料を手の指などに付着させるという機能だけでなく、相手方から危害を加えられる危険性がある場合に対処することができる機能も併有することになる。【００２４】  以上の催涙ガス噴射機能の印用スタンプ器への付加は、印用スタンプ器の軸部５の中空部を利用したものである。このような軸部５の中空部の他の用途への利用は、催涙ガス噴射機能の付加のみに限られない。その他にも、例えば、軸部５下端に豆電球を装着し、これに電流を供給する乾電池を軸部５の中空部に収容して照明機能を具備したり、あるいは、軸部５の中空部に、ポール・ペン軸を先端が軸部５下端より突き出し可能に収容して筆記機能を具備させるようにしてもよい。
【図面の簡単な説明】
【００２５】
【図１】  本発明の１つの実施の形態を示す部分断面図である。
【図２】  本発明の他の実施の形態を示す部分断面図である。
【図３】  従来例の構成を示す部分断面図である。
【符号の説明】
【００２６】１  インキ含浸部
２  回転体
３  キャップ
４  クリップ
５  軸部
６  ガス・ボンベ
７  ノズル
８  プッシュ・ボタン
９  安全カバー
１１  インキ含浸部
１２  ケース
１３  蓋
【図１】
2006123504.tif 000003
【図２】
2006123504.tif 000004
【図３】
2006123504.tif 000005